(57)【特許請求の範囲】
【請求項１】
災害の発生を検知する検知部と、
前記検知部によって災害の発生が検知された場合には、該災害に関する情報を安全管理センタへ通知する通知部と、
前記通知部によって前記災害に関する情報を通知した後、所定時間内に前記安全管理センタから災害の状況に応じた表示内容の指示を受信したか判定し、前記安全管理センタから災害の状況に応じた表示内容の指示を前記所定時間内に受信できなかったと判定した場合には、他の表示装置の生存状況を確認し、生存が確認できない表示装置が設置された場所を除外した避難経路を表示内容として決定する決定部と、
前記決定部によって前記安全管理センタから災害の状況に応じた表示内容の指示を前記所定時間内に受信したと判定された場合には、該指示に従って、前記避難経路を投影し、また、前記決定部によって表示内容が決定された場合には、該表示内容に従って、前記避難経路を投影するように制御する表示制御部と、
を備えたことを特徴とする表示装置。
【請求項２】
表示装置で実行される表示方法であって、
災害の発生を検知する検知工程と、
前記検知工程によって災害の発生が検知された場合には、該災害に関する情報を安全管理センタへ通知する通知工程と、
前記通知工程によって前記災害に関する情報を通知した後、所定時間内に前記安全管理センタから災害の状況に応じた表示内容の指示を受信したか判定し、前記安全管理センタから災害の状況に応じた表示内容の指示を前記所定時間内に受信できなかったと判定した場合には、他の表示装置の生存状況を確認し、生存が確認できない表示装置が設置された場所を除外した避難経路を表示内容として決定する決定工程と、
前記決定工程によって前記安全管理センタから災害の状況に応じた表示内容の指示を前記所定時間内に受信したと判定された場合には、該指示に従って、前記避難経路を投影し、また、前記決定工程によって表示内容が決定された場合には、該表示内容に従って、前記避難経路を投影するように制御する表示制御工程と、
を含んだことを特徴とする表示方法。
【発明の詳細な説明】
【技術分野】
【０００１】
本発明は、表示装置および表示方法に関する。
【背景技術】
【０００２】
従来、火災や地震等の非常事態に非常口や避難経路を知らせるために、建物内部の壁等に誘導灯が設置されている。このような誘導灯として、例えば、多数の人が集まる場所で家事や地震、その他の不慮の事故で停電した時に、居合わせた人々が速やかに且つ安全に退避できるように、非常口や避難経路を照らし出す機器が知られている。（例えば、非特許文献１参照）。
【先行技術文献】
【非特許文献】
【０００３】
【非特許文献１】誘導灯・非常照明について、［online］、［平成２６年１１月２６日検索］、インターネット＜http://www.shobo-setsubi.com/cgi-bin/shobo-setsubi/siteup.cgi?category=4&page=4＞
【発明の概要】
【発明が解決しようとする課題】
【０００４】
しかしながら、上記した従来の誘導灯では、誘導方向が一方向のみであり、災害の状況に応じて、適切な避難経路を知らせることができない場合があるという課題があった。例えば、従来の誘導灯では、火災や地震などの被害により建物が破損し、一部の避難経路や非常口を通ることが危険になった場合であっても、避難経路や非常口を通ることが危険になったことや、他の安全な避難経路や非常口を知らせることができない。
【０００５】
そこで、この発明は、上述した従来技術の課題を解決するためになされたものであり、災害の状況に応じて、適切な避難経路を知らせることを目的とする。
【課題を解決するための手段】
【０００６】
上述した課題を解決し、目的を達成するために、本発明に係る表示装置は、災害の発生を検知する検知部と、前記検知部によって災害の発生が検知された場合には、該災害の状況に応じて、避難経路を投影するように制御する表示制御部と、を備えたことを特徴とする。
【０００７】
また、本発明に係る表示方法は、表示装置で実行される表示方法であって、災害の発生を検知する検知工程と、前記検知工程によって災害の発生が検知された場合には、該災害の状況に応じて、避難経路を投影するように制御する表示制御工程と、を含んだことを特徴とする。
【発明の効果】
【０００８】
開示の表示装置および表示方法によれば、災害の状況に応じて、適切な避難経路を知らせることを可能にする。
【図面の簡単な説明】
【０００９】
【図１】図１は、実施例１に係る表示装置を含む安全管理システムの構成の一例を説明するための図である。
【図２】図２は、実施例１に係る表示装置の構成の一例を説明するための図である。
【図３】図３は、避難経路を投影する処理を説明する図である。
【図４】図４は、実施例１に係る表示装置の処理手順を説明するためのフローチャートである。
【図５】図５は、実施例２に係る表示装置の構成の一例を説明するための図である。
【図６】図６は、実施例２に係る表示装置の処理手順を説明するためのフローチャートである。
【図７】図７は、本実施例に係る表示プログラムを実行するコンピュータを示す図である。
【発明を実施するための形態】
【００１０】
以下に添付図面を参照して、この発明に係る表示装置および表示方法の実施例を詳細に説明する。なお、この実施例によりこの発明が限定されるものではない。
【実施例１】
【００１１】
［実施例１に係る安全管理システムの構成］
まず、図１を用いて、実施例１に係る表示装置１０ａ〜１０ｃを含む安全管理システム１の構成を説明する。図１は、実施例１に係る表示装置を含む安全管理システムの構成の一例を説明するための図である。図１に示すように、安全管理システム１は、複数の表示装置１０ａ〜１０ｃと安全管理センタ２０とを有し、ネットワーク３０を介してそれぞれ接続されている。
【００１２】
表示装置１０ａ〜１０ｃは、建物や敷地内に設置され、災害の発生が検知された場合には、該災害の状況に応じて、建物や敷地内における壁や天井に避難経路を投影する。なお、図１の例では、表示装置が３つである例を示しているが、これに限定されるものではなく、２つ以下または４つ以上であってもよい。また、以下の説明では、表示装置１０ａ〜１０ｃについて特に区別なく説明する場合には、表示装置１０と記載する。
【００１３】
安全管理センタ２０は、各表示装置１０ａ〜１０ｃから災害に関する情報を受信し、受信した災害に関する情報を基に、各表示装置１０ａ〜１０ｃに対して、表示内容を指示する。安全管理センタ２０は、表示内容の指示として、いずれの避難経路が安全であるかを示す情報や、表示すべきメッセージの内容を指示する。
【００１４】
［実施例１に係る表示装置の構成］
次に、図２を用いて、表示装置１０の構成を説明する。図２は、実施例１に係る表示装置の構成の一例を説明するための図である。図２に示すように、この表示装置１０は通信部１１、各種センサ１２、制御部１３、記憶部１４および投影部１５を有する。以下にこれらの各部の処理を説明する。なお、ここで説明する構成はあくまで一例であり、他のさまざまな形態でも実施が可能である。
【００１５】
通信部１１は、安全管理センタ２０や他の表示装置との間でやり取りする各種情報に関する通信を制御する。例えば、通信部１１は、災害に関する情報を安全管理センタ２０に対して送信する。また、通信部１１は、表示内容の指示を安全管理センタ２０から受信する。
【００１６】
記憶部１４は、制御部１３による各種処理に要するデータや、制御部１３による各種処理結果を記憶するものであり、表示画像記憶部１４ａを有する。また、記憶部１４は、例えば、ＲＡＭ（Random  Access  Memory）、ＲＯＭ（Read  Only  Memory）、フラッシュメモリ（Flash  Memory）等の半導体メモリ素子、又は、ハードディスク、光ディスク等の記憶装置である。
【００１７】
表示画像記憶部１４ａは、後述する投影部１５によって投影される画像を記憶する。例えば、表示画像記憶部１４ａは、避難経路を示す画像として、避難口誘導灯の図柄（例えば、扉に向かう人の絵）や通路誘導灯の図柄（例えば、大きい矢印と扉に向かう小さい人の絵）を記憶する。また、表示画像記憶部１４ａは、避難させるためのメッセージを含む画像として、「火事です。速やかに避難してください」や「地震です。落ち着いて避難してください」などのメッセージを含む画像を記憶する。
【００１８】
各種センサ１２は、火災や地震などの災害を検知するためのセンサである。例えば、各種センサ１２は、煙や温度に関する情報を取得する火災センサや、建物の揺れに関する情報を取得する地震センサで構成される。また、各種センサ１２は、取得した情報を検知部１３ａに通知する。
【００１９】
制御部１３は、各種の処理手順などを規定したプログラムおよび所要データを格納するための内部メモリを有し、これらによって種々の処理を実行するが、特に本発明に密接に関連するものとしては、検知部１３ａ、通知部１３ｂおよび表示制御部１３ｃを有する。
【００２０】
検知部１３ａは、建物や敷地内における災害の発生を検知する。具体的には、検知部１３ａは、各種センサ１２から煙や温度に関する情報や建物の揺れに関する情報を受信し、受信した情報を用いて、災害の発生を検知する。例えば、検知部１３ａは、建物内の温度が所定の閾値以上であって、かつ、煙を検知した場合には、火災の発生を検知する。また、例えば、検知部１３ａは、建物の揺れの大きさが所定の閾値以上である場合には、地震の発生を検知する。
【００２１】
通知部１３ｂは、検知部１３ａによって災害の発生が検知された場合には、該災害に関する情報を安全管理センタ２０へ通知する。具体的には、通知部１３ｂは、検知部１３ａによって災害の発生が検知された場合には、災害に関する情報として、検知した災害の内容や災害の規模を通知する。例えば、通知部１３ｂは、災害に関する情報として、「災害内容：地震、災害の規模：震度３」等の情報を安全管理センタ２０へ通知する。
【００２２】
表示制御部１３ｃは、検知部１３ａによって災害の発生が検知された場合には、該災害の状況に応じて、避難経路を投影する。具体的には、表示制御部１３ｃは、安全管理センタ２０から災害の状況に応じた表示内容の指示を受信し、該指示に従って、避難経路を投影するように制御する。
【００２３】
ここで、図３を用いて、避難経路を投影する処理の一例について説明する。図３は、避難経路を投影する処理を説明する図である。図３の例では、避難用の避難出口として、３つの避難出口４０Ａ〜４０Ｃがあり、安全管理センタ２０から避難出口４０Ａから避難する避難経路が指示されるとともに、「火事です。こちらに避難して下さい」というメッセージを表示する旨の指示を表示装置１０が受信したものとする。
【００２４】
この場合には、例えば、表示制御部１３ｃは、表示画像記憶部１４ａに記憶された避難口誘導灯の図柄の情報を読み出し、該避難口誘導灯の図柄とともに、「火事です。こちらに避難して下さい」というメッセージを避難出口４０Ａの上方の壁に向けて投影部１５に投影させるように制御する。
【００２５】
投影部１５は、検知部１２ａによって災害の発生が検知された場合に、建物や敷地内における壁や天井に避難経路を投影するものであり、プロジェクタなどを備えて構成される。例えば、投影部１５は、火事が発生した場合に、表示制御部１３ｃからの指示を受けて、避難口誘導灯の図柄とともに、「火事です。こちらに避難して下さい」というメッセージを、安全と判断された避難出口近傍の壁に投影する。
【００２６】
［表示装置による処理］
次に、図４を用いて、実施例１に係る表示装置１０による処理を説明する。図４は、実施例１に係る表示装置の処理動作を示すフローチャートである。
【００２７】
図４に示すように、表示装置１０の検知部１３ａは、建物や敷地内における非常事態の発生を検知する（ステップＳ１０１）。具体的には、検知部１３ａは、所定の時間間隔で、各種センサ１２から煙や温度に関する情報や建物の揺れに関する情報を受信し、受信した情報を用いて、災害の発生を検知する。
【００２８】
この結果、検知部１３ａが非常事態を検知した場合には（ステップＳ１０１肯定）、通知部１３ｂは、安全管理センタ２０へ検知した内容を通知する（ステップＳ１０２）。具体的には、通知部１３ｂは、検知部１３ａによって災害の発生が検知された場合には、災害に関する情報として、検知した災害の内容や災害の規模を通知する。
【００２９】
そして、表示制御部１３ｃは、安全管理センタ２０から災害の状況に応じた表示内容の指示を受信し（ステップＳ１０３）、該指示に従って、避難経路を投影部１５に投影させる（ステップＳ１０４）。例えば、表示制御部１３ｃは、表示画像記憶部１４ａに記憶された避難口誘導灯の図柄の情報を読み出し、該避難口誘導灯の図柄とともに、「火事です。こちらに避難して下さい」というメッセージを避難出口４０Ａの上方の壁に向けて投影部１５に投影させるように制御する。
【００３０】
［実施例１の効果］
上述してきたように、表示装置１０は、災害の発生を検知し、災害の発生が検知された場合には、該災害の状況に応じて、避難経路を投影するように制御するので、災害の状況に応じて、適切な避難経路を知らせることができる。つまり、表示装置１０は、非常事態に対応した適切な指示を柔軟に表示することが可能である。
【実施例２】
【００３１】
ところで、上記の実施例１では、安全管理センサから受信した表示内容の指示に従って、避難経路を投影する場合を説明したが、本発明はこれに限定されるものではなく、表示装置自身が表示内容を決定し、避難経路を投影するようにしてもよい。
【００３２】
そこで、以下の実施例２では、検知部によって災害の発生が検知された場合には、該災害に関する情報を安全管理センタへ通知し、安全管理センタから災害の状況に応じた表示内容の指示を受信できなかった場合に、他の表示装置の生存状況に応じて、表示内容を決定する場合について説明する。なお、実施例１と同様の構成および処理については説明を省略する。
【００３３】
まず、図５を用いて、実施例２に係る表示装置１０Ａの構成について説明する。図５は、実施例２に係る表示装置の構成の一例を説明するための図である。図５に示すように、実施例２に係る表示装置１０Ａは、実施例１に係る表示装置１０と比較して、決定部１３ｄを有する点で異なる。
【００３４】
決定部１３ｄは、通知部１３ｂによって災害に関する情報を通知した後、安全管理センタ２０から災害の状況に応じた表示内容の指示を受信できなかった場合に、他の表示装置の生存状況に応じて、表示内容を決定する。
【００３５】
具体的には、決定部１３ｄは、通知部１３ｂによって災害に関する情報を通知した後、所定の時間が経過しても安全管理センタ２０から災害の状況に応じた表示内容の指示を受信できなかった場合に、近隣の表示装置の生存を確認する。
【００３６】
そして、決定部１３ｄは、他の表示装置の生存状況に応じて、表示内容を決定する。例えば、他の複数の表示装置のうち、生存を確認できない表示できない場合には、該表示装置が設置された場所は災害の被害が大きいものとして、該表示装置が設置された場所を除外した避難経路を決定する。そして、表示制御部１３ｃは、決定部１３ｄによって決定された表示内容に従って、避難経路を投影するように制御する。
【００３７】
次に、図６を用いて、実施例２に係る表示装置１０Ａによる処理を説明する。図６は、実施例２に係る表示装置の処理動作を示すフローチャートである。
【００３８】
図６に示すように、表示装置１０Ａの検知部１３ａは、実施例１と同様に、建物や敷地内における非常事態の発生を検知する（ステップＳ２０１）。この結果、検知部１３ａが非常事態を検知した場合には（ステップＳ２０１肯定）、通知部１３ｂは、安全管理センタ２０へ検知した内容を通知する（ステップＳ２０２）。具体的には、通知部１３ｂは、検知部１３ａによって災害の発生が検知された場合には、災害に関する情報として、検知した災害の内容や災害の規模を通知する。
【００３９】
そして、決定部１３ｄは、所定の時間内に、安全管理センタ２０から災害の状況に応じた表示内容の指示を受信したか判定する（ステップＳ２０３）。この結果、表示制御部１３ｃは、安全管理センタ２０から災害の状況に応じた表示内容の指示を受信したと判定された場合には（ステップＳ２０３肯定）、該指示に従って、避難経路を投影部１５に投影させる（ステップＳ２０７）。
【００４０】
また、決定部１３ｄは、安全管理センタ２０から災害の状況に応じた表示内容の指示を受信していないと判定した場合には（ステップＳ２０３否定）、近隣の表示装置の生存を確認する（ステップＳ２０４）。
【００４１】
そして、決定部１３ｄは、他の表示装置の生存状況に応じて、表示内容を決定する（ステップＳ２０５）。例えば、他の複数の表示装置のうち、生存を確認できない場合には、該表示装置が設置された場所は災害の被害が大きいものとして、該表示装置が設置された場所を除外した避難経路を決定する。そして、表示制御部１３ｃは、決定部１３ｄによって決定された表示内容に従って、避難経路を投影するように制御する（ステップＳ２０６）。
【００４２】
このように、実施例２に係る表示装置１０Ａでは、災害に関する情報を通知した後、安全管理センタ２０から災害の状況に応じた表示内容の指示を受信できなかった場合に、他の表示装置の生存状況に応じて、表示内容を決定し、決定された表示内容に従って、避難経路を投影する。このため、安全管理センタ２０との通信が行えないような状況であっても、複数の表示装置同士で連携して、より確実な避難経路を表示することが可能である。
【実施例３】
【００４３】
さて、これまで本発明の実施例について説明したが、本発明は上述した実施例以外にも、種々の異なる形態にて実施されてよいものである。そこで、以下では実施例３として本発明に含まれる他の実施例を説明する。
【００４４】
［システム構成］
また、本実施例において説明した各処理の内、自動的に行われるものとして説明した処理の全部又は一部を手動的に行うこともでき、あるいは、手動的に行われるものとして説明した処理の全部又は一部を公知の方法で自動的に行うこともできる。この他、上述文書中や図面中で示した処理手順、制御手順、具体的名称、各種のデータやパラメータを含む情報については、特記する場合を除いて任意に変更することができる。
【００４５】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。
【００４６】
[プログラム]
上記実施例で説明した表示装置１０は、あらかじめ用意されたプログラムをコンピュータで実行することで実現することもできる。そこで、以下では、図１に示した表示装置１０と同様の機能を実現する表示プログラムを実行するコンピュータの一例を説明する。
【００４７】
図７は、本実施例に係る表示プログラムを実行するコンピュータ１０００を示す図である。図７に示すように、コンピュータ１０００は、例えば、メモリ１０１０と、ＣＰＵ（Central  Processing  Unit）１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有する。これらの各部は、バス１０８０によって接続される。  
【００４８】
メモリ１０１０は、ＲＯＭ（Read  Only  Memory）１０１１およびＲＡＭ（Random  Access  Memory）１０１２を含む。ＲＯＭ１０１１は、例えば、ＢＩＯＳ（Basic  Input  Output  System）等のブートプログラムを記憶する。ハードディスクドライブインタフェース１０３０は、ハードディスクドライブ１０９０に接続される。ディスクドライブインタフェース１０４０は、ディスクドライブ１０４１に接続される。ディスクドライブ１０４１には、例えば、磁気ディスクや光ディスク等の着脱可能な記憶媒体が挿入される。シリアルポートインタフェース１０５０には、例えば、マウス１１１０およびキーボード１１２０が接続される。ビデオアダプタ１０６０には、例えば、ディスプレイ１１３０が接続される。
【００４９】
ここで、図７に示すように、ハードディスクドライブ１０９０は、例えば、ＯＳ（Operating  System）１０９１、アプリケーションプログラム１０９２、プログラムモジュール１０９３およびプログラムデータ１０９４を記憶する。本実施例に係る表示プログラムは、例えば、コンピュータ１０００によって実行される指令が記述されたプログラムモジュール１０９３として、例えばハードディスクドライブ１０９０に記憶される。
【００５０】
また、表示プログラムによる情報処理に用いられるデータは、プログラムデータ１０９４として、例えば、ハードディスクドライブ１０９０に記憶される。そして、ＣＰＵ１０２０が、ハードディスクドライブ１０９０に記憶されたプログラムモジュール１０９３やプログラムデータ１０９４を必要に応じてＲＡＭ１０１２に読み出して、各種の手順を実行する。
【００５１】
なお、表示プログラムに係るプログラムモジュール１０９３やプログラムデータ１０９４は、ハードディスクドライブ１０９０に記憶される場合に限られず、例えば、着脱可能な記憶媒体に記憶されて、ディスクドライブ１０４１等を介してＣＰＵ１０２０によって読み出されてもよい。あるいは、表示プログラムに係るプログラムモジュールやプログラムデータは、ＬＡＮ（Local  Area  Network）やＷＡＮ（Wide  Area  Network）等のネットワークを介して接続された他のコンピュータに記憶され、ネットワークインタフェース１０７０を介してＣＰＵ１０２０によって読み出されてもよい。
【００５２】
これらの実施例やその変形は、本願が開示する技術に含まれると同様に、特許請求の範囲に記載された発明とその均等の範囲に含まれるものである。
【００５３】
［その他］
なお、本実施例で説明したアクセス制御プログラムは、インターネットなどのネットワークを介して配布することができる。また、制御プログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【符号の説明】
【００５４】
１０、１０Ａ、１０ａ〜１０ｃ  表示装置
１１  通信部
１２  各種センサ
１３  制御部
１３ａ  検知部
１３ｂ  通知部
１３ｃ  表示制御部
１３ｄ  決定部
１４  記憶部
１４ａ  表示画像記憶部
１５  投影部
２０  安全管理センタ
【図１】
0006315591.tif 000002
【図２】
0006315591.tif 000003
【図３】
0006315591.tif 000004
【図４】
0006315591.tif 000005
【図５】
0006315591.tif 000006
【図６】
0006315591.tif 000007
【図７】
0006315591.tif 000008